(57)【要約】      （修正有）【課題】高ズーム比及び広画角で、全系の小型軽量化なズームレンズを提供する。【解決手段】物体側から像側へ順に、正負正正正又は正負正正正正で構成されたズームレンズであって、広角端における全系の焦点距離をｆｗ、ズーム比をＺとし、中間のズーム位置の焦点距離ｆｍをｆｍ＝ｆｗ×（Ｚ）1/2とし、広角端における第２レンズ群と第３レンズ群の間隔をＬ２Ｗ、広角端から焦点距離ｆｍまでのズーム範囲のうち、最大像高の軸外主光線が最も光軸から離れるズーム位置での第２レンズ群と第３レンズ群の間隔をＬ２fm、第１レンズ群の焦点距離をｆ１、第２レンズ群の焦点距離をｆ２、第３レンズ群の焦点距離をｆ３、広角端における第２レンズ群と第３レンズ群の合成焦点距離をｆ２３Ｗとするとき、１．５＜Ｌ２fm／Ｌ２Ｗ＜５００、−３０＜ｆ３／ｆ２＜−３、−１５＜ｆ１／ｆ２３Ｗ＜−８を満足する。【選択図】図１
2014142451.tif 000002
【特許請求の範囲】
【請求項１】
物体側から像側へ順に、変倍のためには不動で合焦機能を有する正の屈折力の第１レンズ群と、変倍に際して単調に像側へ移動する負の屈折力の第２レンズ群と、変倍に際して非直線的に像側へ移動する正の屈折力の第３レンズ群と、変倍に伴う像面変動を補正するために物体側へ非直線的に移動する正の屈折力の第４レンズ群と、変倍のためには不動の正の屈折力の第５レンズ群とを有するズームレンズであって、
広角端における全系の焦点距離をｆｗ、ズーム比をＺとし、中間のズーム位置の焦点距離ｆｍを
ｆｍ  ＝  ｆｗ  ×  （Ｚ）1/2
とし、広角端における第２レンズ群と第３レンズ群の間隔をＬ２Ｗ、広角端から焦点距離ｆｍまでのズーム範囲のうち、最大像高の軸外主光線が最も光軸から離れるズーム位置での第２レンズ群と第３レンズ群の間隔をＬ２fm、第１レンズ群の焦点距離をｆ１、第２レンズ群の焦点距離をｆ２、第３レンズ群の焦点距離をｆ３、広角端における第２レンズ群と第３レンズ群の合成焦点距離をｆ２３Ｗとするとき、
１．５＜Ｌ２fm／Ｌ２Ｗ＜５００
−３０＜ｆ３／ｆ２＜−３
−１５＜ｆ１／ｆ２３Ｗ＜−８
なる条件式を満足することを特徴とするズームレンズ。
【請求項２】
物体側から像側へ順に、変倍のためには不動で合焦機能を有する正の屈折力の第１レンズ群と、変倍に際して単調に像側へ移動する負の屈折力の第２レンズ群と、変倍に際して非直線的に像側へ移動する正の屈折力の第３レンズ群と、変倍に際して非直線的に物体側へ移動する正の屈折力の第４レンズ群と、変倍に伴う像面変動を補正する正の屈折力の第５レンズ群と、変倍のためには不動の正の屈折力の第６群を有するズームレンズであって、
広角端における全系の焦点距離をｆｗ、ズーム比をＺとし、中間のズーム位置の焦点距離ｆｍを、
ｆｍ  ＝  ｆｗ  ×  （Ｚ）1/2
とし、広角端における第２レンズ群と第３レンズ群の間隔をＬ２Ｗ、広角端から焦点距離ｆｍまでのズーム範囲のうち、最大像高の軸外主光線が最も光軸から離れるズーム位置での第２レンズ群と第３レンズ群の間隔をＬ２fm、第１レンズ群の焦点距離をｆ１、第２レンズ群の焦点距離をｆ２、第３レンズ群の焦点距離をｆ３、広角端における第２レンズ群と第３レンズ群の合成焦点距離をｆ２３Ｗとするとき、
１．５＜Ｌ２fm／Ｌ２Ｗ＜５００
−３０＜ｆ３／ｆ２＜−３
−１５＜ｆ１／ｆ２３Ｗ＜−８
なる条件式を満足することを特徴とするズームレンズ。
【請求項３】
広角端における第１レンズ群と第２レンズ群の間隔をＬ１Ｗ、広角端から焦点距離ｆｍまでのズーム範囲のうち、最大像高の軸外主光線が最も光軸から離れるズーム位置での第２レンズ群と第３レンズ群の合成焦点距離をｆ２３ｗｍ、第１レンズ群と第２レンズ群の間隔をＬ１fm、としたとき、
−２．２＜（Ｌ１fm−Ｌ１Ｗ）／ｆ２３ｗｍ＜−０．５
なる条件式を満足することを特徴とする請求項１又は２に記載のズームレンズ。
【請求項４】
第３レンズ群は、１枚の凸レンズで構成され、凸レンズのｄ線の屈折率をＮｄ、アッベ数をνｄとするとき、
１．４０＜Ｎｄ＜１．８５
４０＜νd＜９６
なる条件式を満足することを特徴とする請求項１乃至３のいずれか１項に記載のズームレンズ。
【請求項５】
第３レンズ群は、少なくとも１枚の凸レンズと少なくとも１枚の凹レンズで構成され、凸レンズのｄ線の屈折率の平均値をＮｄｐ、凹レンズのｄ線の屈折率の平均値をＮｄｎ、凸レンズのアッベ数の平均値をνｄｐ、凹レンズのアッベ数の平均値をνｄｎとするとき、
−０．４３＜Ｎｄｐ−Ｎｄｎ＜−０．１
１０＜νｄｐ−νｄｎ＜４０
なる条件式を満足することを特徴とする請求項１乃至３のいずれか１項に記載のズームレンズ。
【請求項６】
請求項１乃至５のいずれか１項に記載のズームレンズと前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩フィルム用カメラ、デジタルカメラ、ビデオカメラ等の撮像装置には、広画角且つ高ズーム比でしかも高い光学性能を有したズームレンズが要望されている。広画角、高ズーム比のズームレンズとして、最も物体側に正の屈折力のレンズ群を配置し、全体として正負正正正の５つのレンズ群より成るポジティブリード型で、テレフォト型の５群ズームレンズが知られている。
【０００３】
例えば、このポジティブリード型のズームレンズで、バリエータとコンペンセータの機能を持つ変倍レンズ群を３つの可動レンズ群で構成し、ズーミングに際して互いに異なった軌跡で移動したテレビカメラに好適な５群ズームレンズが知られている（特許文献１）。
【０００４】
特許文献１では、正の屈折力の第１レンズ群、負の屈折力の第２レンズ群、正の屈折力の第３レンズ群、正の屈折力の第４レンズ群、正の屈折力の第５レンズ群から構成され、広角端画角が６０°〜７０°程度、倍率が１０〜２０倍程度のズームレンズが開示されている。特許文献１では第２、第３、第４レンズ群で変倍系を構成している。
【先行技術文献】
【特許文献】
【０００５】
【特許文献１】特開平７−２４８４４９号公報
【発明の概要】
【発明が解決しようとする課題】
【０００６】
テレビカメラや写真用カメラ、そしてビデオカメラ等の撮像装置は、高い光学性能を有するとともに、全系が小型軽量であることが強く要求される。特に、広角端画角５０°以上、倍率が６０倍以上の広角・超望遠レンズにおいては、第１レンズ群の大きさや重さがレンズ全体の大型化や質量増加につながり、カメラレンズの操作性に大きく影響する。このため、第１レンズ群の小型軽量化が特に重要になってきている。
【０００７】
広画角と高ズーム比を両立しながら第１レンズ群のレンズ有効径の増大を抑制するためには、構成レンズ群のパワー配置を適切にするとともに変倍用の第２、第３レンズ群の変倍に伴う移動軌跡を適切に設定することが重要である。特に広角端から中間のズーム位置に至るズーム範囲における移動軌跡を適切に設定することが重要になってくる。これらの構成を適切に設定しないと、全系の小型化を図りつつ、広画角かつ高ズーム比で全ズーム範囲にわたり高い光学性能のズームレンズを得るのが難しくなってくる。
【０００８】
本発明は、小型でありながら広画角、高ズーム比でしかも全ズーム範囲にわたり高い光学性能を有するズームレンズ及びそれを有する撮像装置の提供を目的とする。
【課題を解決するための手段】
【０００９】
本発明のズームレンズは、物体側から像側へ順に、変倍のためには不動で合焦機能を有する正の屈折力の第１レンズ群と、変倍に際して移動する負の屈折力の第２レンズ群と、変倍に際して移動する正の屈折力の第３レンズ群と、変倍に伴う像面変動を補正する正の屈折力の第４レンズ群と、変倍のためには不動の正の屈折力の第５群を有する５群ズームレンズにおいて、広角端における全系の焦点距離をｆｗ、ズーム比をＺとし、中間のズーム位置の焦点距離ｆｍを
ｆｍ  ＝  ｆｗ  ×  （Ｚ）1/2
とし、広角端における第２レンズ群と第３レンズ群の間隔をＬ２Ｗ、広角端から焦点距離ｆｍまでのズーム範囲のうち、最大像高の軸外主光線が最も光軸から離れるズーム位置での第２レンズ群と第３レンズ群の間隔をＬ２fm、第１レンズ群の焦点距離をｆ１、第２レンズ群の焦点距離をｆ２、第３レンズ群の焦点距離をｆ３、広角端における第２レンズ群と第３レンズ群の合成焦点距離をｆ２３Ｗとするとき、
１．５＜Ｌ２fm／Ｌ２Ｗ＜５００
−３０＜ｆ３／ｆ２＜−３
−１５＜ｆ１／ｆ２３Ｗ＜−８
なる条件を満足することを特徴としている。
【００１０】
また、本発明のズームレンズは、物体側から像側へ順に、変倍のためには不動で合焦機能を有する正の屈折力の第１レンズ群と、変倍に際して移動する負の屈折力の第２レンズ群と、変倍に際して移動する正の屈折力の第３レンズ群と、変倍に際して移動する正の屈折力の第４レンズ群と、変倍に伴う像面変動を補正する正の屈折力の第５レンズ群と変倍のためには不動の正の屈折力の第６群を有する６群ズームレンズにおいて、広角端における全系の焦点距離をｆｗ、ズーム比をＺとし、中間のズーム位置の焦点距離ｆｍを
ｆｍ  ＝  ｆｗ  ×  （Ｚ）1/2
とし、広角端における第２レンズ群と第３レンズ群の間隔をＬ２Ｗ、広角端から焦点距離ｆｍまでのズーム範囲のうち、最大像高の軸外主光線が最も光軸から離れるズーム位置での第２レンズ群と第３レンズ群の間隔をＬ２fm、第１レンズ群の焦点距離をｆ１、第２レンズ群の焦点距離をｆ２、第３レンズ群の焦点距離をｆ３、広角端における第２レンズ群と第３レンズ群の合成焦点距離をｆ２３Ｗとするとき、
１．５＜Ｌ２fm／Ｌ２Ｗ＜５００
−３０＜ｆ３／ｆ２＜−３
−１５＜ｆ１／ｆ２３Ｗ＜−８
なる条件を満足することを特徴としている。
【発明の効果】
【００１１】
本発明によれば、小型でありながら広画角、高ズーム比でしかも全ズーム範囲にわたり高い光学性能を有するズームレンズ及びそれを有する撮像装置が得られる。
【図面の簡単な説明】
【００１２】
【図１】本発明のズームレンズの数値実施例１のズームレンズの広角端におけるレンズ断面図
【図２】数値実施例１のズームレンズの（ａ）広角端、（ｂ）ｆ＝１７．１７、（ｃ）ｆ＝６９．０６、（ｄ）望遠端での無限遠合焦時の収差図
【図３】数値実施例２のズームレンズの広角端におけるレンズ断面図
【図４】数値実施例２のズームレンズの（ａ）広角端、（ｂ）ｆ＝１７．３５、（ｃ）ｆ＝６８．２７、（ｄ）望遠端での無限遠合焦時の収差図
【図５】数値実施例３のズームレンズの広角端におけるレンズ断面図
【図６】数値実施例３のズームレンズの（ａ）広角端、（ｂ）ｆ＝１３．５０、（ｃ）ｆ＝６５．３５、（ｄ）望遠端での無限遠合焦時の収差図
【図７】数値実施例４のズームレンズの広角端におけるレンズ断面図
【図８】数値実施例４のズームレンズの（ａ）広角端、（ｂ）ｆ＝１３．４１、（ｃ）ｆ＝６５．３３、（ｄ）望遠端での無限遠合焦時の収差図
【図９】数値実施例５のズームレンズの広角端におけるレンズ断面図
【図１０】数値実施例５のズームレンズの（ａ）広角端、（ｂ）ｆ＝１４．０１、（ｃ）ｆ＝８２．９２、（ｄ）望遠端での無限遠合焦時の収差図
【図１１】ズームによる軸外主光線の高さの変化を示す光路図
【図１２】本発明の撮像装置の概略図
【発明を実施するための形態】
【００１３】
以下に、本発明の好ましい実施の形態を、添付の図面に基づいて詳細に説明する。まず、本発明のズームレンズの特徴について説明する。
本発明のズームレンズは、物体側から像側へ順に、変倍のためには不動で合焦機能を有する正の屈折力の第１レンズ群と、変倍に際して移動する負の屈折力の第２レンズ群と、変倍に際して移動する正の屈折力の第３レンズ群と、変倍に伴う像面変動を補正する正の屈折力の第４レンズ群と、変倍のためには不動の正の屈折力の第５群を有する。
【００１４】
又は、本発明のズームレンズは、物体側から像側へ順に、変倍のためには不動で合焦機能を有する正の屈折力の第１レンズ群と、変倍に際して移動する負の屈折力の第２レンズ群と、変倍に際して移動する正の屈折力の第３レンズ群と、変倍に際して移動する正の屈折力の第４レンズ群と、変倍に伴う像面変動を補正する正の屈折力の第５レンズ群と変倍のためには不動の正の屈折力の第６群を有する。
【００１５】
図１は本発明の実施例１（数値実施例１）のズームレンズの広角端（焦点距離：ｆ＝９．６ｍｍ）、無限遠物体の合焦状態におけるレンズ断面図である。
【００１６】
図２は数値実施例１の（ａ）広角端（焦点距離：ｆ＝９．６ｍｍ）、（ｂ）焦点距離：ｆ＝１７．１７ｍｍ、（ｃ）焦点距離：ｆ＝６９．０６ｍｍ、（ｄ）望遠端（焦点距離：ｆ＝７１０．４ｍｍ）における無限遠物体に合焦時の収差図である。但し、焦点距離は数値実施例の値をｍｍ単位で表したときの値である。これは以下の各実施例において全て同じである。
【００１７】
図３は本発明の実施例２（数値実施例２）のズームレンズの広角端（焦点距離：ｆ＝９．６ｍｍ）、無限遠物体の合焦状態におけるレンズ断面図である。
【００１８】
図４は数値実施例２の（ａ）広角端（焦点距離：ｆ＝９．６ｍｍ）、（ｂ）焦点距離：ｆ＝１７．３５ｍｍ、（ｃ）焦点距離：ｆ＝６８．２７ｍｍ、（ｄ）望遠端（焦点距離：ｆ＝７１０．４ｍｍ）における無限遠物体に合焦時の収差図である。
【００１９】
図５は本発明の実施例３（数値実施例３）のズームレンズの広角端（焦点距離：ｆ＝９．８ｍｍ）、無限遠物体の合焦状態におけるレンズ断面図である。
【００２０】
図６は数値実施例３の（ａ）広角端（焦点距離：ｆ＝９．８ｍｍ）、（ｂ）焦点距離：ｆ＝１３．５０ｍｍ、（ｃ）焦点距離：ｆ＝６５．３５ｍｍ、（ｄ）望遠端（焦点距離：ｆ＝６４６．８ｍｍ）における無限遠物体に合焦時の収差図である。
【００２１】
図７は本発明の実施例４（数値実施例４）のズームレンズの広角端（焦点距離：ｆ＝９．８ｍｍ）、無限遠物体の合焦状態におけるレンズ断面図である。
【００２２】
図８は数値実施例４の（ａ）広角端（焦点距離：ｆ＝９．８ｍｍ）、（ｂ）焦点距離：ｆ＝１３．４１ｍｍ、（ｃ）焦点距離：ｆ＝６５．３３ｍｍ、（ｄ）望遠端（焦点距離：ｆ＝６４６．８ｍｍ）における無限遠物体に合焦時の収差図である。
【００２３】
図９は本発明の実施例５（数値実施例５）のズームレンズの広角端（焦点距離：ｆ＝９．０ｍｍ）、無限遠物体の合焦状態におけるレンズ断面図である。
【００２４】
図１０は数値実施例５の（ａ）広角端（焦点距離：ｆ＝９．０ｍｍ）、（ｂ）焦点距離：ｆ＝１４．０１ｍｍ、（ｃ）焦点距離：ｆ＝８２．９２ｍｍ、（ｄ）望遠端（焦点距離：ｆ＝９００ｍｍ）における無限遠物体に合焦時の収差図である。
【００２５】
図１２は本発明の撮像装置の概略図である。
【００２６】
各実施例のレンズ断面図において、左側が物体側で右側が像側である。実施例１〜４のレンズ断面図において、Ｕ１は変倍のためには不動の第１レンズ群としての正の屈折力を有する前玉レンズ群である。第１レンズ群Ｕ１は、その一部又は全部を移動することで合焦機能を有する。
【００２７】
Ｕ２は変倍用の第２レンズ群としての負の屈折力を有するバリエータであり、光軸上を像面側へ単調に移動させることにより、広角端から望遠端への変倍を行っている。
【００２８】
Ｕ３は変倍用の正の屈折力のバリエータ（第３レンズ群）であり、光軸上を像面側へ曲線を描いて移動させることにより、広角端から望遠端へのズーミングを行っている。
【００２９】
Ｕ４は第４レンズ群としての正の屈折力を有するコンペンセータであり、広角端から望遠端への変倍に際して変倍に伴う像面変動を補正するために光軸上を物体側へ非直線的に移動している。
【００３０】
第２レンズ群Ｕ２と第３レンズ群Ｕ３と第４レンズ群Ｕ４で変倍系を構成している。
【００３１】
ＳＰは絞り（開口絞り）であり、第５レンズ群Ｕ５の物体側に配置されている。Ｕ５は第５レンズ群としての結像作用を有する正の屈折力を有する固定のリレーレンズ群である。Ｐは色分解プリズムや光学フィルタ−等であり、同図ではガラスブロックとして示している。ＩＰは撮像面であり、ズームレンズで形成された像を受光し、光電変換する固体撮像素子（光電変換素子）の撮像面に相当している。
【００３２】
実施例５のレンズ断面図において、Ｕ１は変倍のためには不動の第１レンズ群としての正の屈折力を有する前玉レンズ群である。第１レンズ群Ｕ１は、その一部又は全部を移動することで合焦機能を有する。
【００３３】
Ｕ２は変倍用の第２レンズ群としての負の屈折力を有するバリエータであり、光軸上を像面側へ単調に移動させることにより、広角端から望遠端への変倍を行っている。
【００３４】
Ｕ３は変倍用の正の屈折力のバリエータ（第３レンズ群）であり、光軸上を像面側へ曲線を描いて移動させることにより、広角端から望遠端へのズーミングを行っている。
【００３５】
Ｕ４は変倍用の正の屈折力のバリエータ（第４レンズ群）であり、光軸上を物体側へ曲線を描いて移動させることにより、広角端から望遠端へのズーミングを行っている。
【００３６】
Ｕ５は第５レンズ群としての正の屈折力を有するコンペンセータであり、広角端から望遠端への変倍に際して変倍に伴う像面変動を補正するために光軸上を物体側へ非直線的に移動している。
【００３７】
第２レンズ群Ｕ２と第３レンズ群Ｕ３と第４レンズ群Ｕ４と第５レンズ群Ｕ５で変倍系を構成している。
【００３８】
ＳＰは絞り（開口絞り）であり、第６レンズ群Ｕ６の物体側に配置されている。Ｕ６は第６レンズ群としての結像作用を有する正の屈折力を有する固定のリレーレンズ群である。Ｐは色分解プリズムや光学フィルタ−等であり、同図ではガラスブロックとして示している。ＩＰは撮像面であり、ズームレンズで形成された像を受光し、光電変換する固体撮像素子（光電変換素子）の撮像面に相当している。
【００３９】
収差図において、球面収差における実線と二点鎖線は各々ｅ線，ｇ線である。非点収差における点線と実線は各々メリディオナル像面，サジタル像面である。倍率色収差はｇ線によって表している。ωは半画角、ＦｎｏはＦナンバーである。球面収差は０．４ｍｍ、非点収差は０．４ｍｍ、歪曲は５％、倍率色収差は０．１ｍｍのスケールで描かれている。
【００４０】
尚、以下の各実施例において広角端と望遠端は変倍用レンズ群（第２レンズ群Ｕ２）が機構上、光軸上を移動可能な範の両端に位置したときのズーム位置をいう。
【００４１】
各実施例は、
１．５＜Ｌ２fm／Ｌ２Ｗ＜５００    ・・・（１）
−３０＜ｆ３／ｆ２＜−３          ・・・（２）
−１５＜ｆ１／ｆ２３Ｗ＜−８      ・・・（３）
なる条件を満足することを特徴としている。
ここで、広角端における全系の焦点距離をｆｗ、ズーム比をＺとし、中間のズーム位置の焦点距離ｆｍを、
ｆｍ  ＝  ｆｗ  ×  （Ｚ）1/2
とし、広角端における第２レンズ群と第３レンズ群の間隔をＬ２Ｗ、広角端から焦点距離ｆｍまでのズーム範囲のうち、最大像高の軸外主光線が最も光軸から離れるズーム位置での第２レンズ群と第３レンズ群の間隔をＬ２fm、第１レンズ群の焦点距離をｆ１、第２レンズ群の焦点距離をｆ２、第３レンズ群の焦点距離をｆ３、広角端における第２レンズ群と第３レンズ群の合成焦点距離をｆ２３Ｗとする。
【００４２】
条件式（１）は広角端と焦点距離ｆｍのズーム位置において、第２レンズ群Ｕ２と第３レンズ群Ｕ３の間隔や、焦点距離を適切に規定することにより、第１レンズ群Ｕ１のレンズ有効径を縮小している。
【００４３】
６０倍を超えるような高倍率レンズでは、高倍率化し易いことから物体側から順に正負正正で構成され、負の第２群と正の第３群で変倍系を構成する４群ズームが広く用いられている。このような４群ズームレンズの場合、広角端から焦点距離ｆｍのズーム領域において、変倍比に対して第２群の移動量が大きい。図１１は、変倍による光路の変化を示す光路図である。図１１（ａ）は広角端、図１１（ｂ）は、最大像高の軸外主光線が最も高くなる焦点位置、図１１（ｃ）は焦点距離ｆｍ、図１１（ｄ）は望遠端の光路を示している。図１１に示すように広角端から望遠端への変倍に際し、特に広角端から焦点距離ｆｍのズーム領域で撮影画角が小さくなる前に第１群と第２群の間隔が大きくなる。
また、図１１に示すように広角端から焦点距離ｆｍのズーム領域において、第１レンズ群Ｇ１に入射する最大像高の軸外主光線が最も高くなるズーム位置が存在する。（図１１（ｂ））
広角端から焦点距離ｆｍのズーム領域において、同じ画角を包括し、且つ第１レンズ群Ｇ１に入射する最大像高の軸外主光線を下げるためには、第１群と第２群がより近接した状態で変倍比を確保すればよい。
【００４４】
各実施例では、物体側から順に正負正正正の５群ズーム、又は正負正正正正の６群ズームとし、第２群と第３群のズーミングに伴う移動軌跡を適切に設定している。これにより、広角端から焦点距離ｆｍのズーム領域において、第１レンズ群Ｇ１に入射する最大像高の軸外主光線高さを下げ、第１レンズ群Ｇ１のレンズ径が増大しないようにしている。
【００４５】
具体的には、第２レンズ群Ｇ２は広角端から望遠端への変倍に伴って、光軸上を像面側へ単調に移動する。第３レンズ群Ｇ３は変倍に伴って光軸上を像面側へ第２レンズ群Ｇ２と第３レンズ群Ｇ３の間隔が広がるように非直線的に（曲線を描いて）移動する。第３レンズ群Ｇ３は、正の横倍率β３を有するため、撮像面側に移動することで全系の焦点距離を拡大する。そのため、第１レンズ群Ｇ１と第２レンズ群Ｇ２の間隔Ｌ１を短く保ちながら、第２レンズ群Ｇ２と第３レンズ群Ｇ３の間隔Ｌ２を拡大することで、全系の焦点距離を拡大している。これにより第１レンズ群Ｇ１の軸外光線の入射高の高さを下げ、第１レンズ群Ｇ１のレンズ径が増大しないようにしている。
【００４６】
条件式（１）の上限値を上回ると広角端から焦点距離ｆｍのズーム領域において、第２レンズ群Ｇ２と第３レンズ群Ｇ３の間隔が大きくなり、第３レンズ群Ｇ３の軸上光線の入射高が増大する。このため、広角端から焦点距離ｆｍのズーム領域でズーミングによる球面収差、コマ収差等の変動が増大して良好な光学性能を得ることが困難となる。
【００４７】
条件式（１）の下限値を下回ると広角端から焦点距離ｆｍのズーム領域において、第２レンズ群Ｇ２と第３レンズ群Ｇ３の間隔が小さいため、第１レンズ群Ｇ１の軸外光線の入射高を下げる効果が小さくなり、第１レンズ群Ｇ１の小型・軽量化が困難となる。
【００４８】
条件式（２）は、第２レンズ群Ｇ２の焦点距離と第３レンズ群Ｇ３の焦点距離の比を規定するものである。条件式（２）の上限を上回ると第３レンズ群Ｇ３の屈折力が小さくなるため、第１レンズ群Ｇ１の軸外光線の入射高を下げる効果が小さくなり、第１レンズ群Ｇ１の小型・軽量化が困難となる。条件式（２）の下限値を下回ると第３レンズ群Ｇ３の屈折力が大きくなり、広角端から焦点距離ｆｍのズーム領域でズーミングによる球面収差、コマ収差等の変動が増大して良好な光学性能を得ることが困難となる。
【００４９】
条件式（３）は、第１レンズ群Ｇ１の焦点距離と第２レンズ群Ｇ２、第３レンズ群Ｇ３の合成焦点距離の比を規定するものである。条件式（３）の上限を上回ると第１レンズ群Ｇ１の屈折力に対して第２レンズ群Ｇ２、第３レンズ群Ｇ３の合成屈折力が大きくなるため、ズーミングに伴う諸収差の変動が増大し、良好な光学性能を得ることが困難となる。条件式（３）の下限値を下回ると第１レンズ群Ｇ１の屈折力に対して第２レンズ群Ｇ２、第３レンズ群Ｇ３の合成屈折力が小さくなる。そのため、変倍に必要な第２レンズ群Ｇ２、第３レンズ群Ｇ３の移動量が増大して全長が長くなるため、高ズーム比と小型・軽量化の両立が困難となる。
【００５０】
更に好ましくは、条件式（１）〜（３）の数値範囲を以下のごとく設定するのが良い。
２＜Ｌ２fm／Ｌ２Ｗ＜３５０        ・・・（１ａ）
−２２＜ｆ３／ｆ２＜−４．５      ・・・（２ａ）
−１２＜ｆ１／ｆ２３Ｗ＜−８．２  ・・・（３ａ）
【００５１】
各実施例において、更に好ましくは以下の条件式（４）を満足するのが良い。
広角端における第１レンズ群と第２レンズ群の間隔をＬ１Ｗ、広角端から焦点距離ｆｍまでのズーム範囲のうち、最大像高の軸外主光線が最も光軸から離れるズーム位置での第２レンズ群と第３レンズ群の合成焦点距離をｆ２３ｗｍ、第１レンズ群と第２レンズ群の間隔をＬ１fm、としたとき、
−２．２＜（Ｌ１fm−Ｌ１Ｗ）／ｆ２３ｗｍ＜−０．５  ・・・（４）
なる条件式を満足するのが良い。
【００５２】
条件式（４）は、広角端から焦点距離ｆｍのズーム領域で第１レンズ群Ｇ１の軸外光線の入射高が最も高くなるズーム位置までの第１レンズ群Ｇ１と第２レンズ群Ｇ２の間隔変化とそのズーム位置の第２レンズ群と第３レンズ群の合成焦点距離の比を規定している。条件式（４）の上限を上回ると第１レンズ群Ｇ１と第２レンズ群Ｇ２の間隔変化が大きくなるため、第１レンズ群Ｇ１の軸外光線の入射高を下げる効果が小さくなり、第１レンズ群Ｇ１の小型・軽量化が困難となる。条件式（４）の下限値を下回ると第２レンズ群Ｇ２、第３レンズ群Ｇ３の屈折力が大きくなるため、ズーミングに伴う諸収差の変動が増大し、良好な光学性能を得ることが困難となる。
【００５３】
更に好ましくは、条件式（１）〜（３）の数値範囲を以下のごとく設定するのが良い。
−２．０＜（Ｌ１fm−Ｌ１Ｗ）／ｆｗｍ＜−０．７  ・・・（４ａ）
【００５４】
更に、実施例２〜４のように第３レンズ群Ｇ３を１枚の凸レンズで構成する場合、更に好ましくは、以下の条件式（５）、条件式（６）を満足するのが良い。
１．４０ｎｄ＜１．８５  ・・・（５）
４０＜νｄ＜９６        ・・・（６）
ここで、ｎｄは凸レンズのｄ線の屈折率、νｄは凸レンズのｄ線のアッベ数である。
【００５５】
条件式（５）、条件式（６）は、第３レンズ群を１枚の凸レンズで構成するとき、硝材のｄ線の屈折率とアッベ数を規定している。広角端から焦点距離ｆｍのズーム領域において、第２レンズ群Ｇ２と第３レンズ群Ｇ３の間隔が広がり、第３レンズ群Ｇ３の軸上光線の入射高が高くなると、球面収差と軸上色収差の変動が増大する。条件式（５）及び条件式（６）の上限値、下限値を超えると球面収差の変動補正と軸上色収差の変動補正の両立が困難となるため、良好な光学性能が得られない。
【００５６】
第３レンズ群Ｇ３を１枚の凸レンズで構成するとき、更に好ましくは条件式（５）、条件式（６）を以下のごとく設定するのが良い。
１．４３＜ｎｄ＜１．８０  ・・・（５ａ）
４５＜νｄ＜９５．５      ・・・（６ａ）
【００５７】
更に、実施例１、実施例５のように第３レンズ群Ｇ３を少なくとも１枚の凸レンズと少なくとも１枚の凹レンズで構成するとき、更に好ましくは、以下の条件式（７）、条件式（８）を満足するのが良い。
−０．４３＜Ｎｄｐ−Ｎｄｎ＜−０．１  ・・・（７）
１０＜νｄｐ−νｄｎ＜４５            ・・・（８）
ここで、Ｎｄｐは第３レンズ群Ｇ３を構成する凸レンズのｄ線の屈折率の平均値、Ｎｄｎは凹レンズのｄ線の屈折率の平均値、νｄｐは凸レンズのアッベ数の平均値、νｄｎは凹レンズのアッベ数の平均値である。
【００５８】
条件式（７）、条件式（８）は、第３レンズ群を少なくとも１枚の凸レンズと少なくとも１枚の凹レンズで構成するときの硝材の条件を規定している。条件式（７）及び条件式（８）の上限値、下限値を超えると第３レンズ群Ｇ３を１枚の凸レンズで構成する場合と同様に球面収差の変動補正と軸上色収差の変動補正の両立が困難となるため、良好な光学性能が得られない。
【００５９】
第３レンズ群Ｇ３を少なくとも１枚の凸レンズと少なくとも１枚の凹レンズで構成するとき、更に好ましくは、条件式（７）、条件式（８）を以下のごとく設定するのが良い。
−０．３９＜Ｎｄｐ−Ｎｄｎ＜−０．１５  ・・・（７ａ）
１５＜νｄｐ−νｄｎ＜３５              ・・・（８ａ）
【００６０】
［実施例１］
実施例１において、物体側から像側へ順に変倍中固定の正の屈折力の第１群、変倍時移動の負の屈折力の第２群、変倍時移動の正の屈折力の第３群、変倍時移動の正の屈折力の第４群、変倍中固定の正の屈折力の第５群で構成され、第２群と第３群と第４群で変倍系を構成している。第３群は１枚の凸レンズと１枚の凹レンズから構成されている。表１に示すように、本数値実施例は各条件式（１）〜（４）、（７）、（８）を満たしており、高い光学性能を有し、広角端画角５９．６°、ズーム比７４倍の広画角・高ズーム比で小型・軽量のズームレンズを達成している。
【００６１】
［実施例２］
実施例２において、物体側から像側へ順に変倍中固定の正の屈折力の第１群、変倍時移動の負の屈折力の第２群、変倍時移動の正の屈折力の第３群、変倍時移動の正の屈折力の第４群、変倍中固定の正の屈折力の第５群で構成され、第２群と第３群と第４群で変倍系を構成している。第３群は１枚の凸レンズで構成されている。表１に示すように、本数値実施例は各条件式（１）〜（４）、（７）、（８）を満たしており、高い光学性能を有し、広角端画角５９．６°、ズーム比７４倍の広画角・高ズーム比で小型・軽量のズームレンズを達成している。
【００６２】
［実施例３］
実施例３において、物体側から像側へ順に変倍中固定の正の屈折力の第１群、変倍時移動の負の屈折力の第２群、変倍時移動の正の屈折力の第３群、変倍時移動の正の屈折力の第４群、変倍中固定の正の屈折力の第５群で構成され、第２群と第３群と第４群で変倍系を構成している。第３群は１枚の凸レンズで構成されている。表１に示すように、本数値実施例は各条件式（１）〜（６）を満たしており、高い光学性能を有し、広角端画角５７．６°、ズーム比６６倍の広画角・高ズーム比で小型・軽量のズームレンズを達成している。
【００６３】
［実施例４］
実施例４において、物体側から像側へ順に変倍中固定の正の屈折力の第１群、変倍時移動の負の屈折力の第２群、変倍時移動の正の屈折力の第３群、変倍時移動の正の屈折力の第４群、変倍中固定の正の屈折力の第５群で構成され、第２群と第３群と第４群で変倍系を構成している。第３群は１枚の凸レンズで構成されている。表１に示すように、本数値実施例は各条件式（１）〜（６）を満たしており、高い光学性能を有し、広角端画角５７．６°、ズーム比６６倍の広画角・高ズーム比で小型・軽量のズームレンズを達成している。
【００６４】
［実施例５］
実施例５において、物体側から像側へ順に変倍中固定の正の屈折力の第１群、変倍時移動の負の屈折力の第２群、変倍時移動の正の屈折力の第３群、変倍時移動の正の屈折力の第４群、変倍中移動の正の屈折力の第５群、変倍中固定の正の屈折力の第６群で構成され、第２群〜第５群で変倍系を構成している。第３群は１枚の凸レンズで構成されている。表１に示すように、本数値実施例は各条件式（１）〜（４）、（７）、（８）を満たしており、高い光学性能を有し、広角端の撮影画角が６２．９°、ズーム比が１００倍の広角・高倍率、且つ小型・軽量のズームレンズを達成している。
【００６５】
以上、各実施例によれば広画角化と高ズーム比化を両立しながらレンズ系全体の小型軽量化を達成するズームレンズ及びそれを有する撮像装置が得られる。
【００６６】
以上、本発明の好ましい実施形態について説明したが、本発明はこれらの実施形態に限定されず、その要旨の範囲内で種々の変形及び変更が可能である。
【００６７】
図１２は各実施例のズームレンズを撮影光学系として用いた撮像装置（テレビカメラシステム）の概略図である。図１２において１０１は実施例１乃至３のいずれかのズームレンズである。２０１はカメラである。ズームレンズ１０１はカメラ２０１に対して着脱可能となっている。３０１はカメラ２０１にズームレンズ１０１を装着することで構成される撮像装置である。ズームレンズ１０１は第１レンズ群Ｆ、第２〜第３、又は第２〜第４レンズ群Ｖ、第３又は第４レンズ群以降のレンズ群ＣＲを有している。第１レンズ群Ｆは合焦用のレンズ群が含まれている。第２〜第３、又は第２〜第４レンズ群Ｖは変倍のために光軸上を移動する。第２〜第３、又は第２〜第４レンズ群Ｖ以降のレンズ群ＣＲには、変倍に伴う像面変動を補正するために光軸上を移動する第４又は第５レンズ群Ｃや、結像用の第５又は第６レンズ群Ｒが含まれている。更に、レンズ群ＣＲには、ズームレンズ全系の焦点距離を変位させる、光路中より挿抜可能なレンズユニット（エクステンダー）を含んでもよい。
【００６８】
また、レンズ群ＣＲには、光軸に対して垂直方向に変異させて防振を行う防振防振光学系を含んでも良い。ＳＰは開口絞りである。１０２乃至１０４は各々第１レンズ群Ｆ、第２〜第３、又は第２〜第４レンズ群Ｖ、変倍に伴う像面変動を補正する第４又は第５レンズ群Ｃを光軸方向に駆動するヘリコイドやカム等の駆動機構である。
【００６９】
ここで、１０５乃至１０８は駆動機構１０２乃至１０４および開口絞りＳＰを電動駆動するモータ（駆動手段）である。１０９乃至１１２は、第１レンズ群Ｆや第２レンズ群Ｖ、変倍に伴う像面変動を補正する第３レンズ群Ｃの光軸上の位置や、開口絞りＳＰの絞り径を検出するためのエンコーダやポテンショメータ、あるいはフォトセンサ等の検出器である。カメラ２０１において、２０２は光学フィルタや色分解光学系に相当するガラスブロック、２０３はズームレンズ１０１によって形成された被写体像を受光するＣＣＤセンサやＣＭＯＳセンサ等の固体撮像素子（光電変換素子）である。また、２０４、１１３はカメラ２０１及びズームレンズ１０１の各種の駆動を制御するＣＰＵである。
【００７０】
このように、本発明のズームレンズをテレビカメラに適用することにより、高い光学性能を有する撮像装置を実現している。ただし、本発明に関するズームレンズおよびカメラの構成は図１２の形態に限定されず、その要旨の範囲内で種々の変形及び変更が可能である。この他、本発明のズームレンズはデジタルカメラやビデオカメラ等にも適用することができる。
【００７１】
以下に本発明の数値実施例を示す。各数値実施例においていずれも、ｉは物体側からの面の順序を示す。ｒｉは物体側より第ｉ番目の面の曲率半径、ｄｉは物体側より第ｉ番目と第ｉ＋１番目の面の間隔、ｎｄｉ、νｄｉ、焦点距離は第ｉ番目と第ｉ＋１番目の面の間の光学部材のｄ線の屈折率、アッベ数、及び焦点距離である。ＢＦは空気換算のバックフォーカスであり、ガラスブロックＰの最終面からの距離として示している。
【００７２】
非球面形状は光軸方向にＸ軸、光軸と垂直方向にＨ軸、光の進行方向を正とする。Ｒを近軸曲率半径、ｋを円錐常数、Ａ４、Ａ６、Ａ８、Ａ１０、Ａ１２、Ａ１４、Ａ１６、Ａ３、Ａ５、Ａ７、Ａ９、Ａ１１、Ａ１３、Ａ１５をそれぞれ非球面係数としたとき、次式で表している。また、「ｅ−Ｚ」は「×１０-Z」を意味する。
【数１】
2014142451.tif 000003
【００７３】
本実施例の各条件式対応値を表１に示す。
【００７４】
＜数値実施例１＞
単位 mm
面データ
面番号       r        d      nd         vd       焦点距離  有効径
1       1498.521    6.00   1.72047    34.7      -501.17   197.37
2        292.072    1.71                                  190.96
3        302.505   25.06   1.43387    95.1       492.47   190.87
4       -715.392   26.87                                  190.04
5        263.490   24.47   1.43387    95.1       510.12   190.11
6      -1365.543    0.25                                  189.31
7        297.125   11.67   1.43387    95.1      1173.57   182.23
8        702.497    1.20                                  180.73
9        165.793   13.41   1.43875    94.9       870.85   170.08
10        285.096  (可変)                                  168.13
11*      5956.094    2.07   1.88300    40.8       -42.53    43.35
12         37.530    9.94                                   37.36
13        -43.593    1.60   1.88300    40.8       -29.25    37.51
14         65.407    9.00   1.92286    18.9        38.81    42.70
15        -75.978    0.14                                   43.84
16       -100.115    1.60   1.88300    40.8       -106.25   44.23
17       1654.272  (可変)                                   46.11
18        182.567    7.96   1.60311    60.6        118.81   48.65
19       -116.770    0.97   1.83400    37.2       -203.83   50.18
20       -369.230  (可変)                                   51.37
21         94.045   17.27   1.60311    60.6        107.33   83.86
22*      -195.771    0.20                                   83.84
23        121.496    8.47   1.45600    90.3        369.07   81.84
24        424.444    0.20                                   80.70
25        119.838    2.50   1.80515    25.5       -115.99   78.65
26         52.265   17.57   1.45600    90.3        119.21   72.90
27       1137.432    0.20                                   72.08
28*       188.774    7.82   1.60311    60.6        203.90   71.27
29       -351.220  (可変)                                   70.33
30(絞り)    ∞       2.50                                   32.86
31       -179.027    1.40   1.81600    46.6        -42.82   31.74
32         43.842    0.20                                   30.54
33         35.495    4.26   1.80809    22.8         72.65   30.69
34         83.621    4.53                                   29.97
35        -67.959    1.40   1.88300    40.8       -162.26   29.48
36       -129.852    8.27                                   29.58
37       -102.832    1.80   1.78590    44.2        -48.83   28.64
38         62.227    3.34   1.80515    25.5         98.10   28.91
39        276.838    8.33                                   29.02
40       1033.313    1.50   1.75500    52.3        -95.47   30.49
41         67.626    7.36   1.64769    33.8         69.89   30.78
42       -133.867    8.65                                   31.37
43       2191.891    6.54   1.48749    70.2         89.77   31.91
44        -44.764    1.67                                   32.03
45        -49.915    1.60   1.88300    40.8        -33.09   31.31
46         72.548    9.47   1.48749    70.2         51.02   32.11
47        -36.407    0.19                                   33.22
48        123.851    8.38   1.48749    70.2         60.71   33.00
49        -38.198    1.60   1.88300    40.8        -69.77   32.58
50       -101.541    0.15                                   33.00
51         55.491    5.78   1.51823    58.9         71.13   32.96
52       -107.180   12.60                                   32.66
53          ∞      30.00   1.60342    38.0          0.00   60.00
54          ∞      17.40   1.51633    64.2          0.00   60.00
55          ∞      11.12                                   60.00
像面        ∞   
非球面データ
第11面
K =-2.10664e+004  A 4= 1.06818e-006  A 6= 8.23839e-009  A 8=-1.98505e-010  A10=-8.76897e-013  A12=-2.19192e-016  
A 3=-1.00075e-006  A 5=-1.11289e-007  A 7= 6.68904e-010  A 9= 1.83658e-011  A11= 2.16702e-014  
第22面
K =-2.29771e+000  A 4= 2.33293e-007  A 6=-4.19998e-011  A 8=-6.37543e-015  A10=-2.29555e-016  A12=-1.39976e-020  
A 3= 4.50116e-007  A 5= 6.28680e-011  A 7=-3.37819e-013  A 9= 5.89095e-015  A11= 3.15496e-018  
第28面
K = 8.38067e-002  A 4=-2.70254e-007  A 6=-1.66112e-010  A 8= 6.01957e-014  A10= 3.56736e-016  A12= 1.29490e-019  
A 3= 6.30130e-007  A 5= 1.19580e-009  A 7= 1.66949e-013  A 9=-3.36662e-015  A11=-1.24815e-017  
各種データ
ズーム比     74.00 
焦点距離       9.60    17.17    69.06    710.40  
Fナンバー      1.77     1.76     1.76      3.74  
半画角        29.81    17.76     4.55      0.44  
像高           5.50     5.50     5.50      5.50  
レンズ全長   625.59   625.59   625.59    625.59  
BF            11.12    11.12    11.12     11.12  
d10            3.99    56.62   133.82    179.43  
d17            1.04     6.29     1.30      1.07  
d20          259.37   196.91   107.22      3.34  
d29            3.00     7.58    25.06     83.56  
入射瞳位置    133.20   254.60   811.13   7628.04  
射出瞳位置    183.49   183.49   183.49    183.49  
前側主点位置  143.33   273.48   907.85  11266.29  
後側主点位置    1.52    -6.05   -57.93   -699.28  
各レンズ群の結像倍率
ズーム比     1.00      1.79      7.19      74.00
β１         0         0         0         0
β２        -0.1197   -0.1649   -0.3691   -1.3774 
β３         1.1665    1.1979    1.1965    1.3270 
β４        -0.2597   -0.3285   -0.5908   -1.4685
β５         1.0626    1.0626    1.0626    1.0626
ズームレンズ群データ
群  始面    焦点距離  レンズ構成長  前側主点位置  後側主点位置
1    1     249.09       110.63        58.88        -25.44
2   11     -23.00        24.34         4.52        -12.35
3   18     279.25         8.93         0.71         -4.79
4   21      66.65        54.23        12.60        -25.85
5   30      43.03       148.94        57.65         13.82
【００７５】
＜数値実施例２＞
単位 mm
面データ
面番号       r        d      nd         vd       焦点距離  有効径
1       2112.700    6.00   1.72047    34.7     -499.25    196.92
2        308.786    1.47                                  191.08
3        309.454   23.53   1.43387    95.1      531.33    191.02
4       -891.785   27.04                                  190.44
5        348.300   22.90   1.43387    95.1      553.72    191.76
6       -765.127    0.25                                  191.24
7        218.928   15.64   1.43387    95.1      823.80    182.49
8        550.590    1.20                                  180.88
9        173.017   12.78   1.43875    94.9      931.61    171.34
10        292.697  (可変)                                  169.41
11*       731.735    2.20   1.88300    40.8      -45.02     43.98
12         37.858   10.15                                   37.81
13        -43.564    1.70   1.88300    40.8      -29.43     37.55
14         66.527    8.47   1.92286    18.9       41.71     42.45
15        -88.285    0.14                                   43.55
16       -100.000    1.70   1.88300    40.8     -145.44     43.76
17       -446.301  (可変)                                   45.38
18        238.657    5.27   1.43875    94.9       491.45    47.03
19      -2278.362  (可変)                                   48.89
20         97.139   17.36   1.60311    60.6       105.01    83.36
21*      -171.641    0.20                                   83.41
22        106.725    8.44   1.45600    90.3       369.85    81.10
23        282.160    0.20                                   79.86
24        126.885    2.50   1.80515    25.5     -115.88     78.36
25         53.574   18.09   1.45600    90.3      113.51     72.83
26      -1484.357    0.20                                   72.03
27*       213.337    7.03   1.60311    60.6      242.94     70.84
28       -467.865  (可変)                                   69.83
29(絞り)    ∞       2.50                                   32.80
30       -180.551    1.40   1.81600    46.6      -43.06     31.68
31         44.060    0.20                                   30.49
32         35.616    4.90   1.80809    22.8       73.57     30.63
33         82.093    4.04                                   29.69
34        -67.450    1.40   1.88300    40.8     -163.54     29.35
35       -127.155    8.85                                   29.45
36       -106.567    1.80   1.75500    52.3      -43.82     28.44
37         48.646    4.23   1.80515    25.5       76.28     28.68
38        217.260    3.03                                   28.76
39          ∞      13.78   1.64769    33.8      256.23     29.18
40       -167.121    5.68                                   30.47
41        433.990    6.23   1.48749    70.2       73.74     30.76
42        -39.153    1.95                                   30.77
43        -41.105    1.60   1.88300    40.8      -28.44     29.76
44         66.713    8.82   1.51633    64.1       46.35     30.66
45        -35.846    0.19                                   31.67
46        181.290    8.79   1.48749    70.2       58.65     31.50
47        -33.539    1.60   1.88300    40.8      -68.12     31.14
48        -76.945    0.15                                   31.73
49         63.511    8.07   1.51823    58.9       68.41     31.58
50        -77.467    1.50                                   31.11
51          ∞       1.50   1.64000    60.1      -57.42     29.93
52         36.893    4.00   1.80518    25.4    11485.99     28.91
53         35.239    6.00   1.64000    60.1       54.63     27.79
54      -8438.932    1.00                                   27.07
55          ∞      30.00   1.60342    38.0        0.00     60.00
56          ∞      17.40   1.51633    64.2        0.00     60.00
57          ∞      11.00                                   60.00
像面        ∞   
非球面データ
第11面
K = 8.03406e+002  A 4= 6.74072e-007  A 6= 6.23931e-009  A 8=-1.27621e-010  A10=-4.94210e-013  A12=-1.12990e-016  
A 3=-6.56185e-007  A 5=-8.66546e-008  A 7= 4.35521e-010  A 9= 1.10404e-011  A11= 1.15600e-014  
第21面
K =-4.80567e+000  A 4= 2.01287e-007  A 6=-3.86623e-011  A 8=-2.62839e-015  A10=-2.30016e-016  A12=-1.41453e-020  
A 3= 3.96617e-007  A 5=-3.34506e-010  A 7=-4.67420e-013  A 9= 5.90395e-015  A11= 3.15544e-018  
第27面
K = 1.06499e+001  A 4=-3.28034e-007  A 6=-1.69153e-010  A 8= 3.30566e-014  A10= 3.59407e-016  A12= 1.25732e-019  
A 3= 5.77926e-007  A 5= 6.57458e-010  A 7=-1.94822e-013  A 9=-2.48248e-015  A11=-1.25402e-017  
各種データ
ズーム比     74.00 
焦点距離       9.60    17.35    68.27    710.40  
Fナンバー      1.77     1.76     1.76      3.74  
半画角        29.81    17.59     4.61      0.44  
像高           5.50     5.50     5.50      5.50  
レンズ全長   627.26   627.26   627.26    627.26  
BF            11.00    11.00    11.00     11.00  
d10            4.74    57.37   134.56    180.18  
d17            0.08    25.10    11.11      0.11  
d19          263.37   181.67   101.83      7.35  
d28            3.00     7.05    23.69     83.55  
入射瞳位置    134.41   255.46   809.91   7641.42  
射出瞳位置    228.45   228.45   228.45    228.45  
前側主点位置  144.44   274.20   899.62  10672.70  
後側主点位置    1.40    -6.35   -57.27   -699.40  
各レンズ群の結像倍率
ズーム比     1.00      1.81      7.11      74.00
β１         0         0         0         0
β２        -0.1281   -0.1767   -0.3987   -1.5474 
β３         1.0901    1.1574    1.1346    1.1813 
β４        -0.2597   -0.3205   -0.5702   -1.4683
β５         1.0626    1.0626    1.0626    1.0626
ズームレンズ群データ
群  始面    焦点距離  レンズ構成長  前側主点位置  後側主点位置
1    1     249.09       110.82        60.09        -24.02
2   11     -24.50        24.36         4.57        -12.57
3   18     491.45         5.27         0.35         -3.31
4   20      66.65        54.02        12.26        -25.93
5   29      45.48       150.61        57.71         13.84
【００７６】
＜数値実施例３＞
単位 mm
面データ
面番号       r        d      nd         vd       有効径
1        601.710   18.63   1.49700    81.5      644.22    204.01
2       -681.514    1.09                                  202.66
3       -757.946    5.00   1.83481    42.7     -293.90    200.34
4        366.888    3.61                                  196.83
5        387.822   23.63   1.43387    95.1      586.08    198.02
6       -730.150   19.99                                  198.43
7        323.116   22.65   1.43387    95.1      644.34    199.64
8      -2068.334    0.25                                  198.86
9        258.092   19.76   1.43387    95.1      663.88    192.55
10       2373.511    0.25                                  191.19
11        171.734   14.21   1.49700    81.5      780.42    177.10
12        299.011  (可変)                                  174.93
13        205.037    1.85   1.81600    46.6      -84.05     52.06
14         51.382    8.19                                   46.05
15       -199.814    1.76   1.75500    52.3     -123.15     44.37
16        176.048    5.63                                   42.56
17        -69.165    1.76   1.81600    46.6      -49.77     42.62
18        100.741    7.85   1.92286    21.3       44.23     45.10
19        -67.278    0.78                                   45.47
20        -67.542    2.04   1.88300    40.8      -57.35     45.36
21        210.073  (可変)                                   47.26
22        310.699    2.73   1.77250    49.6      522.50     48.19
23       1323.130  (可変)                                   48.85
24        483.432    8.60   1.59240    68.3      172.27     68.16
25       -129.075    0.20                                   69.04
26        211.548   11.12   1.48749    70.2      174.24     70.58
27       -140.273    2.38                                   70.65
28       -101.177    2.50   1.72047    34.7     -681.79     70.52
29       -128.521    0.20                                   71.21
30        110.493    3.07   1.84666    23.9     -177.53     70.05
31         63.127    0.12                                   67.47
32         61.503   15.77   1.49700    81.5      116.25     67.68
33       -916.634    0.20                                   66.79
34        138.855    8.37   1.48749    70.2      328.25     65.36
35       1006.675  (可変)                                   63.55
36(絞り)    ∞       4.50                                   30.23
37        -68.512    1.80   1.81600    46.6      -37.69     28.68
38         57.005    0.20                                   28.30
39         35.952    6.11   1.80809    22.8       55.31     28.71
40        162.931    5.06                                   27.84
41        -53.106    2.00   1.88300    40.8      -36.18     27.07
42         82.782   21.49   1.80518    25.4       94.61     27.57
43       -953.879    4.85                                   29.98
44       5505.229    6.77   1.62041    60.3      114.30     30.94
45        -72.095    0.20                                   31.51
46       -372.556    2.10   1.83400    37.2      -48.47     31.37
47         45.784    7.60   1.62041    60.3       37.87     31.31
48        -45.562    0.20                                   31.48
49        113.998    6.99   1.48749    70.2       58.33     30.15
50        -37.292    2.10   1.83400    37.2      -64.33     29.26
51       -123.641    0.20                                   29.38
52        117.711    3.26   1.62041    60.3      135.50     29.09
53       -295.058    2.00                                   28.72
54          ∞      55.50   1.51633    64.2        0.00     27.85
55          ∞       9.56                                   14.51
像面        ∞   
各種データ
ズーム比     66.00 
焦点距離       9.80    13.50    65.35    646.80  
Fナンバー      1.80     1.80     1.80      3.25  
半画角        29.30    22.17     4.81      0.49  
像高           5.50     5.50     5.50      5.50  
レンズ全長   606.59   606.59   606.59    606.59  
BF             9.56     9.56     9.56      9.56  
d12            2.61    30.97   117.61    160.16  
d21            1.60     3.85     1.64      1.60  
d23          243.58   210.20   105.47      1.22  
d35            2.14     4.91    25.22     86.96  
入射瞳位置    155.42   218.01   787.24   7283.11  
射出瞳位置  -1013.49 -1013.49 -1013.49  -1013.49  
前側主点位置  165.13   231.33   848.42   7520.98  
後側主点位置   -0.24    -3.94   -55.79   -637.24  
各レンズ群の結像倍率
ズーム比     1.00      1.38      6.67      66.00
β１         0         0         0         0
β２        -0.1474   -0.1764   -0.4400   -1.6555 
β３         1.0869    1.0937    1.1041    1.1814 
β４        -0.2851   -0.3262   -0.6270   -1.5416
β５         0.9047    0.9047    0.9047    0.9047
ズームレンズ群データ
群  始面    焦点距離  レンズ構成長  前側主点位置  後側主点位置
1    1     237.11       129.06        69.10        -26.56
2   13     -25.50        29.86         9.49        -11.37
3   22     522.50         2.73        -0.47         -2.01
4   24      67.50        52.53        13.29        -23.50
5   36      58.13       132.92        54.98          4.02
【００７７】
＜数値実施例４＞
単位 mm
面データ
面番号       r        d      nd         vd      焦点距離   有効径
1        615.180   11.01   1.43387    95.1     1304.17    199.02
2      -7243.094    1.00                                  198.80
3     -23330.131    5.00   1.90366    31.3     -565.36    198.57
4        526.419    3.80                                  197.45
5        817.499   15.85   1.43387    95.1      908.96    197.54
6       -761.139   18.75                                  197.77
7        385.753   18.12   1.43387    95.1      750.14    197.09
8      -2086.260    0.25                                  196.58
9        233.992   18.08   1.43387    95.1      713.34    190.00
10        929.470    0.25                                  188.74
11        162.844   17.31   1.43387    95.1      700.51    176.28
12        338.518  (可変)                                  174.11
13        378.473    1.45   1.88300    40.8      -57.09     47.27
14         44.631    4.99                                   41.77
15        255.924    1.38   1.88300    40.8     -171.11     41.25
16         95.108    6.49                                   40.67
17        -60.966    1.38   1.81600    46.6      -44.26     40.82
18         90.624    6.13   1.95906    17.5       54.20     44.03
19       -121.614    1.70                                   44.50
20        -85.522    1.60   1.81600    46.6      -64.71     44.75
21        141.042  (可変)                                   47.50
22        139.576    6.25   1.62041    60.3      119.17     48.91
23       -155.801  (可変)                                   49.98
24        596.624    9.01   1.59240    68.3      157.53     70.42
25       -110.455    0.20                                   71.12
26        164.319   11.81   1.49700    81.5      148.91     72.55
27       -132.141    1.77                                   72.40
28       -107.290    2.50   1.72047    34.7     -515.13     72.18
29       -151.977    0.20                                   72.56
30         89.942    2.50   1.84666    23.9     -186.56     70.11
31         56.775    0.12                                   66.98
32         55.595   11.77   1.49700    81.5      136.61     67.12
33        281.579    0.20                                   66.38
34        140.356    5.45   1.48749    70.2      386.72     65.66
35        537.023  (可変)                                   64.68
36(絞り)    ∞       4.50                                   31.35
37        -72.957    1.80   1.81600    46.6      -41.54     29.81
38         64.621    0.20                                   29.40
39         34.831    7.62   1.80809    22.8       62.71     29.85
40         98.231    6.09                                   28.31
41        -48.924    2.00   1.88300    40.8      -35.29     27.40
42         88.891   14.26   1.84666    23.8       90.04     28.03
43       -532.333    4.55                                   29.73
44        521.296    6.95   1.48749    70.2      129.83     30.72
45        -71.997    0.20                                   31.28
46       -361.104    2.10   1.83400    37.2      -43.85     31.20
47         41.094   11.41   1.60311    60.6       36.10     31.27
48        -41.792    0.20                                   31.97
49        110.655    8.37   1.48749    70.2       59.60     30.67
50        -38.599    2.10   1.83400    37.2      -80.48     29.41
51        -92.295    0.20                                   29.15
52         60.291    2.96   1.60311    60.6      174.97     28.38
53        137.326    2.00                                   27.79
54          ∞      55.50   1.51633    64.2        0.00     27.33
55          ∞       9.56                                   14.40
像面        ∞   
各種データ
ズーム比     66.00 
焦点距離       9.80    13.41    65.33   646.80  
Fナンバー      1.80     1.79     1.79     3.25  
半画角        29.30    22.30     4.81     0.49  
像高           5.50     5.50     5.50     5.50  
レンズ全長   579.47   579.47   579.47   579.47  
BF             9.56     9.56     9.56     9.56  
d12            3.89    30.67   118.89   161.43  
d21            0.95     3.33     0.99     0.95  
d23          243.36   211.85   105.27     1.00  
d35            2.36     4.71    25.42    87.18  
入射瞳位置    139.48   197.96   768.43   6980.80  
射出瞳位置  -1006.33 -1006.33 -1006.33  -1006.33  
前側主点位置  149.19   211.19   829.56   7215.79  
後側主点位置   -0.24    -3.85   -55.77   -637.24  
各レンズ群の結像倍率
ズーム比     1.00      1.37      6.67      66.00
β１         0         0         0         0
β２        -0.1135   -0.1338   -0.3267   -1.0709 
β３         1.4120    1.4601    1.4878    1.8263 
β４        -0.2851   -0.3199   -0.6267   -1.5416
β５         0.9047    0.9047    0.9047    0.9047
ズームレンズ群データ
群  始面    焦点距離  レンズ構成長  前側主点位置  後側主点位置
1    1     237.11       109.41        53.23        -29.36
2   13     -20.00        25.14         7.64         -9.71
3   22     119.17         6.25         1.84         -2.05
4   24      67.50        45.54         9.77        -21.11
5   36      60.32       133.01        56.92          3.81
【００７８】
＜数値実施例５＞
単位 mm
面データ
面番号       r        d      nd         vd      焦点距離   有効径
1      10287.031    6.00   1.83400    37.2      -449.70   203.98
2        363.989    1.64                                  199.81
3        356.050   27.97   1.43387    95.1       492.28   200.86
4       -524.372   27.91                                  201.40
5        340.081   19.34   1.43387    95.1       753.70   203.53
6      -8941.232    0.25                                  203.02
7        254.448   20.37   1.43387    95.1       679.75   197.97
8       1781.038    1.20                                  196.70
9        198.707   12.48   1.49700    81.5       979.57   184.79
10        328.063  (可変)                                  182.87
11*     12587.416    2.20   2.00330    28.3       -56.89    46.68
12         57.292    7.36                                   41.64
13        -69.182    1.40   1.83400    37.2       -37.81    41.37
14         59.184    9.46   1.95906    17.5        31.78    40.08
15        -59.508    1.20                                   39.58
16        -50.567    1.60   1.88300    40.8       -33.49    38.35
17         73.286  (可変)                                   37.04
18         91.796    6.57   1.48749    70.2        80.60    37.44
19        -67.478    0.50                                   37.35
20        -57.184    1.60   1.81600    46.6      -122.47    37.36
21       -134.443  (可変)                                   37.78
22        195.782    8.44   1.59522    67.7       138.83    62.90
23*      -141.545    0.50                                   63.32
24        136.580    7.34   1.59522    67.7       197.19    63.49
25       -838.778    0.20                                   63.00
26        359.797    2.50   1.84666    23.8      -223.73    62.34
27        124.496    4.16   1.43875    94.9      1854.51    61.12
28        145.418  (可変)                                   60.51
29        101.637    2.50   1.84666    23.8      -287.73    60.28
30         71.108   11.26   1.59522    67.7        85.28    58.91
31*      -168.956  (可変)                                   58.34
32(絞り)    ∞       3.25                                   29.56
33        -84.065    2.00   1.81600    46.6       -22.77    28.41
34         24.271   10.02   1.84666    23.8        28.62    27.39
35       2352.129    5.77                                   26.46
36        -36.619    2.00   1.88300    40.8       -20.82    25.46
37         38.303    6.40   1.62041    60.3        45.54    26.80
38       -102.275    5.81                                   27.91
39       -133.691    6.23   1.58913    61.1        63.19    30.41
40        -29.712   10.00                                   31.34
41       -662.447    2.00   1.88300    40.8       -27.82    29.06
42         25.703    9.65   1.51823    58.9        32.47    28.65
43        -42.983    2.65                                   29.35
44        120.892    8.10   1.48749    70.2        46.03    29.48
45        -27.058    2.00   1.88300    40.8       -42.21    29.29
46       -100.615    3.54                                   30.39
47        826.257    6.26   1.54814    45.8        55.45    31.04
48        -31.639   10.00                                   31.18
49          ∞      33.00   1.60859    46.4         0.00    60.00
50          ∞      13.20   1.51633    64.2         0.00    60.00
51          ∞      11.45                                   60.00
像面        ∞   
非球面データ
第11面
K =-1.40193e+006  A 4= 1.21651e-006  A 6=-3.38392e-010  A 8= 4.70002e-013  
第23面
K =-5.99583e-001  A 4= 1.87674e-007  A 6=-2.11142e-013  A 8= 1.36861e-016  
第31面
K = 1.18800e+001  A 4= 5.96100e-007  A 6= 3.17472e-011  A 8= 5.61619e-014  
各種データ
ズーム比     99.99 
焦点距離       9.00    14.01    82.92   899.92  
Fナンバー      1.80     1.80     1.80     4.50  
半画角        31.43    21.44     3.79     0.35  
像高           5.50     5.50     5.50     5.50  
レンズ全長   644.77   644.77   644.77   644.77  
BF            11.45    11.45    11.45    11.45  
d10            2.97    45.70   157.60   206.44  
d17            3.18     8.60     6.74     0.50  
d21          260.34   206.94    86.75     1.49  
d28           35.98    36.78    15.42    11.31  
d31            3.00     7.45    38.95    85.75  
入射瞳位置    133.11   216.04  1007.93  13356.79  
射出瞳位置    182.64   182.64   182.64    182.64  
前側主点位置  142.58   231.19  1131.01  18987.27  
後側主点位置    2.45    -2.56   -71.47   -888.47  
各レンズ群の結像倍率
ズーム比     1.00      1.56      9.21      99.99
β１         0         0         0         0
β２        -0.0995   -0.1241   -0.3502   -1.7107 
β３         1.1719    1.2090    1.2288    1.4041 
β４        -0.6050   -0.7924   -3.8956    7.1801
β５         0.4818    0.4452    0.1869   -0.1971
β６         0.9862    0.9862    0.9862    0.9862
ズームレンズ群データ
群  始面    焦点距離  レンズ構成長  前側主点位置  後側主点位置
1    1     268.44       117.18        66.49        -20.59
2   11     -21.50        23.22         7.35         -7.00
3   18     226.37         8.66        -0.63         -6.41
4   22     115.10        23.14        -0.31        -14.62
5   29     121.89        13.76         3.04         -5.53
6   32      41.12       141.88        54.06         10.88
【００７９】
【表１】
2014142451.tif 000004
【符号の説明】
【００８０】
Ｕ１：第１レンズ群
Ｕ２：第２レンズ群
Ｕ３：第３レンズ群
Ｕ４：第４レンズ群
Ｕ５：第５レンズ群
【図１】
2014142451.tif 000005
【図２】
2014142451.tif 000006
【図３】
2014142451.tif 000007
【図４】
2014142451.tif 000008
【図５】
2014142451.tif 000009
【図６】
2014142451.tif 000010
【図７】
2014142451.tif 000011
【図８】
2014142451.tif 000012
【図９】
2014142451.tif 000013
【図１０】
2014142451.tif 000014
【図１１】
2014142451.tif 000015
【図１２】
2014142451.tif 000016